(57)【要約】【課題】  複数のユーザによる情報のリンクが促進された情報発信システム及び情報発信方法を提供すること。【解決手段】  本発明に係る情報発信システム１００は、クライアント１０５と接続された情報発信入力サーバ１０３と、ユーザより発信された情報を記憶するユーザ発信情報記憶手段１０４と、少なくとも特典情報を含み、個々のユーザを管理するための情報を記憶するユーザ管理情報記憶手段１０１とを有し、情報発信入力サーバ１０３は、発信情報登録手段３３と、発信情報表示手段３２と、特典付与手段３４とを有し、発信情報登録手段３３は、既にユーザ発信情報記憶手段１０４に登録されているユーザ発信情報と新たに登録するユーザ発信情報との関連付けを行うことが可能であり、特典付与手段は、発信情報登録手段３３がユーザ発信情報の関連付けを実行した場合に、双方のユーザに特典を付与するものである。【選択図】  図１
2006260164.tif 000002
【特許請求の範囲】
【請求項１】
複数のクライアントと接続された情報発信入力サーバと、
ユーザより発信されたユーザ発信情報を記憶するユーザ発信情報記憶手段と、
少なくとも特典情報を含み、個々のユーザを管理するためのユーザ管理情報を記憶するユーザ管理情報記憶手段とを有する情報発信システムであって、
前記情報発信入力サーバは、前記ユーザが前記クライアントを介して送信したユーザ発信情報を受信し、前記ユーザ発信情報記憶手段に登録する発信情報登録手段と、
前記ユーザ発信情報記憶手段に記憶されたユーザ発信情報を、当該ユーザ発信情報を入力したユーザ毎に表示する発信情報表示手段と、
前記ユーザ管理情報記憶手段に記憶されたユーザの各々に対して所定の特典を付与し、前記ユーザ管理情報記憶手段に特典情報を格納する特典付与手段とを有し、
前記発信情報登録手段は、ユーザ発信情報を前記ユーザ発信情報記憶手段に登録する際に、当該ユーザ発信情報を入力したユーザの指示に応じて、他のユーザにより入力され前記ユーザ発信情報記憶手段に登録されているユーザ発信情報と新たに登録するユーザ発信情報とを関連付けを行うことが可能であり、
前記特典付与手段は、前記発信情報登録手段がユーザ発信情報の関連付けを実行した場合に、新たにユーザ発信情報を入力したユーザと前記他のユーザとの両方に特典を付与する情報発信システム。
【請求項２】
商品情報を記憶する商品情報記憶手段と、
前記商品情報記憶手段に記憶された商品の購入手続き及び決済手続きを行う商品購入プログラムを動作させる商品購入サーバとを更に有し、
前記ユーザが前記情報発信入力サーバに送信する情報には、前記商品情報記憶手段に記憶された商品情報が少なくとも一つ含まれることを特徴とする請求項１に記載の情報発信システム。
【請求項３】
前記特典付与手段により付与された特典は、前記商品購入プログラムにおける商品の購入手続きにおいて、商品の購入代金として利用可能であることを特徴とする請求項２に記載の情報発信システム。
【請求項４】
前記商品情報記憶手段に記憶される情報には、商品が属するテーマを示すテーマ情報が含まれることを特徴とする請求項２又は３いずれかに記載の情報発信システム。
【請求項５】
前記ユーザが前記情報発信入力サーバに送信するユーザ発信情報には、当該ユーザ発信情報に含まれる商品情報に係る商品が属するテーマ情報が含まれることを特徴とする請求項４に記載の情報発信システム。
【請求項６】
ユーザがクライアントを介して送信したユーザ発信情報を受信し、ユーザ発信情報記憶手段に登録するステップと、
前記ユーザ発信情報記憶手段に記憶されたユーザ発信情報を、当該ユーザ発信情報を入力したユーザ毎に表示するステップと、
ユーザ発信情報を前記ユーザ発信情報記憶手段に登録する際に、当該ユーザ発信情報が他のユーザ発信情報に基づいたものであるか否かを判定し、判定結果を保存するステップと、
ユーザ発信情報を前記ユーザ発信情報記憶手段に登録する際に、当該ユーザ発信情報が他のユーザ発信情報に基づいたものである場合、前記他のユーザ発信情報と新たに登録するユーザ発信情報とを関連付けるステップと、
新たにユーザ発信情報が入力されたさい、前記判定結果に基づいて新たにユーザ発信情報を入力したユーザと前記他のユーザ発信情報を入力したユーザとの両方に特典を付与するステップとを有する情報発信促進方法。
【請求項７】
前記ユーザ発信情報は、所定の商品についての情報を有することを特徴とする請求項６に記載の情報発信促進方法。
【請求項８】
前記特典が商品の購入において代金として利用可能であることを特徴とする請求項６又は７に記載の情報発信促進方法。
【発明の詳細な説明】
【技術分野】
【０００１】
本発明はインターネット等のネットワークを介し、情報を発信する情報発信促進システム、情報発信促進方法に関し、特にブログを利用したサイトに関する。
【背景技術】
【０００２】
インターネットの普及によって、ホームページなどを利用して、個人が情報を簡単に発信できるようになった。企業の口コミ掲示版サイトでは、あるテーマに対し、個人の感想や意見を募ることによって情報を集め、情報を充実させてサイトの集客を促進している。しかし、その口コミサイトを告知するためには、膨大な宣伝費などが必要であった。
【０００３】
他方、個人の日記風のホームページ(以下、ブログページ)では、情報発信の際、相互のサイトをリンクで簡単につなげるようになった。ブログは掲示板と異なり、各個人で情報発信できるサイトを、個人単位表示できる形式で保持している。そのためページビューの多い個人のブログページと、企業が閲覧させたいページと相互リンクが張られている場合、サイト閲覧者がその個人のブログページから、企業が閲覧させたいページに誘導されることが期待できる。
【０００４】
個人による情報発信を促進するシステムとして、例えば特許文献１には電子掲示板に記事を投稿したユーザＩＤと当該記事を評価したユーザＩＤとの双方に特典を付与するシステムが記載されている。こうすることにより、電子掲示板への積極的な投稿が増加し、また、ユーザが商品等に対する知識を得る機会が増え、商品等の購入意欲を向上させることができる。
【０００５】
また、特許文献２では、ユーザが編集したウェブページの編集様式をサーバが分析することによって、ユーザごとに必要と判断される情報を情報提供者へフィードバックしている。これにより、ユーザが必要とする情報を情報提供者へ知らせることができる。
【０００６】
更に、特許文献３では、投稿された記事に対して、他のユーザの商品選択に影響を与えた度合いを示す影響度に応じて記事を投稿したユーザにポイントを付与している。これにより、ユーザによる商品情報の有効な投稿を促進し、有効な商品情報を確実に、且つ大量に集めることができる。
【特許文献１】特開２００１−２８２６７５号公報
【特許文献２】特開２００３−６７５１３号公報
【特許文献３】特開２００３−１６７９９０号公報
【発明の開示】
【発明が解決しようとする課題】
【０００７】
個人単位で情報発信できるブログページでは、個人が自由にテーマを設定して情報発信することが可能となるため、特定のテーマに関心を持つユーザが、定期的に同一のブログページを閲覧することが考えられる。従って、同一のブログページを定期的に閲覧するユーザが複数存在する場合、それら複数のユーザの多くは同一のテーマに関心を持っていることが考えられる。
【０００８】
一方、商品を閲覧者に購入させるなどの目的を持つ企業サイトとしては、ブログページの発信する情報が商品テーマに関する情報発信内容なら、商品購入をする閲覧者を獲得する可能性が高いが、全く商品テーマと関係のない情報発信の場合には、商品購入の促進に結びつかない可能性が高い。企業の発信した情報に対して、閲覧者の多いサイトからリンクが設けられていれば企業の発信した情報に到達する可能性が向上する。更に、企業の発信した情報と関連する情報を発信しているサイトからのリンクが設けられていれば、宣伝効果は更に向上することが考えられる
【０００９】
所定の商品に対する情報訴求力の向上を図るためには、当該商品に対する様々な情報を一元化して表示可能であることが好ましい。ブログページのように多数のユーザが参加する情報発信システムでは、多数のユーザによる様々な情報が集まることが期待される。しかしながら、個人が自由に情報を発信できるため、複数のユーザに所定のテーマに沿って情報発信させることは難しい。また、ブログページの情報表示単位は各ユーザであるため、複数のユーザが同一のテーマ、商品について意見交換等をしながら情報を発信していた場合でも、それらの情報を一元的に表示させることはなかった。
【００１０】
このような課題を解決する方法としては、他のユーザが発信した情報と同一のテーマ、商品について情報を発信する場合は、情報をリンクして発信する方法がある。しかしながら、ブログページは各ユーザの日記であることを前提とするため、発信する情報が他のユーザが発信した情報に基づくものであっても、必ずしも当該他のユーザの情報とリンクして情報発信するとは限らない。
【００１１】
本発明はこのような問題を解決するためになされたものであり、複数のユーザによる情報のリンクが促進された情報発信システム及び情報発信方法を提供することを目的とする。
【課題を解決するための手段】
【００１２】
本発明に係る情報発信システムは、複数のクライアントと接続された情報発信入力サーバと、ユーザより発信されたユーザ発信情報を記憶するユーザ発信情報記憶手段と、少なくとも特典情報を含み、個々のユーザを管理するためのユーザ管理情報を記憶するユーザ管理情報記憶手段とを有する情報発信システムであって、前記情報発信入力サーバは、前記ユーザが前記クライアントを介して送信したユーザ発信情報を受信し、前記ユーザ発信情報記憶手段に登録する発信情報登録手段と、前記ユーザ発信情報記憶手段に記憶されたユーザ発信情報を、当該ユーザ発信情報を入力したユーザ毎に表示する発信情報表示手段と、前記ユーザ管理情報記憶手段に記憶されたユーザの各々に対して所定の特典を付与し、前記ユーザ管理情報記憶手段に特典情報を格納する特典付与手段とを有し、前記発信情報登録手段は、ユーザ発信情報を前記ユーザ発信情報記憶手段に登録する際に、当該ユーザ発信情報を入力したユーザの指示に応じて、他のユーザにより入力され前記ユーザ発信情報記憶手段に登録されているユーザ発信情報と新たに登録するユーザ発信情報とを関連付けを行うことが可能であり、前記特典付与手段は、前記発信情報登録手段がユーザ発信情報の関連付けを実行した場合に、新たにユーザ発信情報を入力したユーザと前記他のユーザとの両方に特典を付与するものである。これにより、複数のユーザによる情報のリンクを促進することができる。
【００１３】
ここで、商品情報を記憶する商品情報記憶手段と、前記商品情報記憶手段に記憶された商品の購入手続き及び決済手続きを行う商品購入プログラムを動作させる商品購入サーバとを更に有し、前記ユーザが前記情報発信入力サーバに送信する情報には、前記商品情報記憶手段に記憶された商品情報が少なくとも一つ含まれることが好ましい。これにより、所定の商品についての情報訴求効果を高めることができる。
【００１４】
また、前記特典付与手段により付与された特典は、前記商品購入プログラムにおける商品の購入手続きにおいて、商品の購入代金として利用可能であることが好ましい。これにより、特典を獲得することについてユーザにメリットを与えることができる。
【００１５】
更に、前記商品情報記憶手段に記憶される情報には、商品が属するテーマ情報が含まれ、前記ユーザが前記情報発信入力サーバに入力する情報には、当該情報に含まれる商品情報に係る商品が属するテーマ情報が含まれることが好ましい。これにより、同種のテーマに係る情報について一元的に表示することができる。
【００１６】
他方、本発明に係る情報発信促進方法は、ユーザがクライアントを介して送信したユーザ発信情報を受信し、ユーザ発信情報記憶手段に登録するステップと、前記ユーザ発信情報記憶手段に記憶されたユーザ発信情報を、当該ユーザ発信情報を入力したユーザ毎に表示するステップと、ユーザ発信情報を前記ユーザ発信情報記憶手段に登録する際に、当該ユーザ発信情報が他のユーザ発信情報に基づいたものであるか否かを判定し、判定結果を保存するステップと、ユーザ発信情報を前記ユーザ発信情報記憶手段に登録する際に、当該ユーザ発信情報が他のユーザ発信情報に基づいたものである場合、前記他のユーザ発信情報と新たに登録するユーザ発信情報とを関連付けるステップと、新たにユーザ発信情報が入力されたさい、前記判定結果に基づいて新たにユーザ発信情報を入力したユーザと前記他のユーザ発信情報を入力したユーザとの両方に特典を付与するステップとを有する。これにより、これにより、複数のユーザによる情報のリンクを促進することができる。
【００１７】
ここで、前記ユーザ発信情報は、所定の商品についての情報を有することが好ましい。これにより、これにより、所定の商品についての情報訴求効果を高めることができる。
【００１８】
また、前記特典が商品の購入において代金として利用可能であることが好ましい。これにより、特典を獲得することについてユーザにメリットを与えることができる。
【発明の効果】
【００１９】
本発明により、複数のユーザによる情報のリンクが促進された情報発信システム及び情報発信方法を提供することができる。
【発明を実施するための最良の形態】
【００２０】
本発明に係る情報発信システム及び情報発信方法について、図面を参照して説明する。本実施形態においては、情報発信システムとして有料放送を提供している企業の番組情報及び番組視聴契約並びにブログページを有する情報発信システムの例を説明する。また、以下の説明においては、番組を商品、番組の視聴契約を購入と呼ぶ。
【００２１】
図１に、本実施形態の情報発信システム１００のブロック図を示す。本実施形態に係る情報発信システム１００は、情報発信するユーザを識別するための会員管理データベース（以下ＤＢとする）１０１と、購入可能な商品情報を格納する商品ＤＢ１０２と、ブログページを運営する情報発信入力サーバ１０３と、情報発信された内容を記憶する情報発信ＤＢ１０４と、ユーザがブログページを閲覧するクライアント１０５と、ユーザが使用したポイントを計算するポイント管理サーバ１０６と、オンライン上での取引を可能にする商品購入サーバ１０７と、インターネットや電話回線等のネットワーク網１０８とを有する。
【００２２】
情報発信入力サーバ１０３には、ＨＴＭＬなどの記述言語によって作成されたブログプログラムが格納されている。ポイント管理サーバ１０６には、ユーザが使用したポイントを計算するポイント管理プログラムが格納されている。商品購入サーバ１０７には、商品購入や決済を行う商品購入・決済プログラムが格納されている。クライアント１０５には、ブログページや商品の購入・決済ページを閲覧するためのブラウザプログラムが格納されている。
【００２３】
図１に例示した情報発信システム１００において、ユーザはクライアント１０５でブラウザを動作させ、ネットワーク網１０８を介して情報発信入力サーバ１０３にアクセスする。当該ユーザは会員管理ＤＢ１０１に登録されており、当該登録情情報を用いて情報発信入力サーバ１０３上で動作するブログプログラムにログインする。ユーザは当該ブログプログラムを介して情報発信ＤＢ１０４に登録された情報を閲覧し、又情報発信ＤＢ１０４に情報を登録する。更に、情報発信ＤＢ１０４に登録される情報は、商品ＤＢ１０２に格納されている情報と関連付けられている。商品ＤＢ１０２に情報が格納されている商品は、商品購入サーバ１０７上で動作する商品購入・決済プログラムを介して購入可能である。
【００２４】
図２に情報発信入力サーバ１０３に格納されているブログプログラム３０のブロック図を示す。ブログプログラム３０は制御手段３１、情報表示手段３２、情報登録手段３３及び特典付与手段３４を有する。制御手段３１はブログプログラム３０全体の動作を制御及び、ブログプログラム３０の各機能の補佐を行なう。情報表示手段３２はブログプログラム３０の各種表示フォームを有し、制御手段３１の制御に従って表示情報を制御する。情報登録手段３３は情報発信ＤＢ１０４及び会員管理ＤＢ１０１に情報を登録する手段である。特典付与手段３４は会員管理ＤＢ１０１に登録されたユーザへの特典付与を制御する。
【００２５】
次に図３を用いて会員管理ＤＢ１０１について詳細を説明する。図３は本実施形態に係る会員管理ＤＢ１０１に登録されるデータ例である。図３に示すように、本実施例で会員管理ＤＢ１０１に記憶するデータ項目は、会員ＩＤ、パスワード、ポイント、情報発信者名、Ｅｍａｉｌアドレス及び情報発信サイトＵＲＬである。これらの情報を項目別にテーブル形式で登録する。
【００２６】
会員ＩＤとパスワードは、主にブログプログラム３０が会員である情報発信者を識別するために利用する。情報発信者名は、ユーザがクライアント１０５からブログプログラム３０を介して当該システムに格納されている情報を閲覧する際に、情報発信者として表示される名前である。ポイントは、情報発信者である会員に付与された総ポイントを登録する。Ｅｍａｉｌアドレスは、ポイントを付与計算したことを会員に通知するために利用する。情報発信サイトＵＲＬは、情報発信者が情報発信できるサイトＵＲＬを示す。
【００２７】
次に図４を用いて商品ＤＢ１０２について詳細を説明する。図４は本実施形態に係る商品ＤＢ１０２に格納されるデータ例である。図４に示すように、本実施形態で商品ＤＢ１０２に記憶するデータ項目は、商品ＩＤ、商品名、テーマコード、テーマ名及び価格である。これらの情報を項目別にテーブル形式で格納する。
【００２８】
商品ＩＤは、商品を識別するために利用する。商品名はユーザがクライアント１０５からブログプログラム３０を介して商品に関する情報を閲覧する際に表示される名前である。テーマコードは、テーマを識別するために利用する。テーマ名は情報ごとに選択されるテーマを示す。テーマコードとテーマ名とは１：１の関係にある。ユーザがクライアント１０５からブログプログラム３０を介してテーマを選択する際はテーマ名を選択するが、ＤＢの検索は制御手段３１がテーマ名に対応するテーマコードで行う。テーマ名の項目があることで、テーマごとに分類して商品を表示させることができる。価格は、情報発信者が商品を購入する際に支払う代金である。更に、図４に示した情報の他に、商品掲載、販売の有効期限を示す有効期限情報を保存しても良い。
【００２９】
次に図５を用いて情報発信ＤＢ１０４について詳細を説明する。図５は本実施形態に係る情報発信ＤＢ１０４に登録されるデータ例である。図５に示すように、本実施形態で情報発信ＤＢ１０４に記憶するデータ項目は、テーマコード、テーマ名、会員ＩＤ、情報発信者名、日付、タイトル、ファイル名及び引用元ＵＲＬである。これらの情報を項目別にテーブル形式で登録する。
【００３０】
テーマコードは、テーマを識別するために利用するものであり、商品ＤＢ１０２に格納されているものから選択される。会員ＩＤ項目は、会員を識別するために利用するものであり、会員管理ＤＢ１０１に登録されているものから選択される。情報発信者が情報を発信すると、発信された日付、タイトル、内容が書き込まれているファイル名が情報登録手段３３により登録される。また、当該情報が他の記事を引用している場合は、引用元の記事のＵＲＬが引用元ＵＲＬに格納される。
【００３１】
次に図６を用いて本実施形態に係る情報発信方法の基本動作について説明する。図６は本実施形態にかかる情報発信の手順を示すフローチャートである。図６のフローチャートにおいては、情報発信者であるユーザは、すでに会員管理ＤＢ１０１に会員ＩＤを持っていて、情報発信システム１００にログインしているものとする。
【００３２】
まず、ユーザはクライアント１０５から情報発信入力サーバ１０３にアクセスし、ブログプログラム３０において、テーマを選択して情報発信ページの表示を依頼する。すると、情報発信入力サーバ１０３では、制御手段３１が選択されたテーマをキーワードに商品ＤＢ１０２を検索し（Ｓ１１）、表示手段３２が生成した情報発信ページをクライアント１０５に送信する。クライアント１０５では情報発信ページを表示する（Ｓ１２）。ここで、当該情報発信ページには、テーマにあった商品名の選択肢、タイトル入力項目及び内容入力項目などが含まれる。
【００３３】
このとき、制御手段３１は他のユーザの情報を引用しているかどうかを判定し（Ｓ１３）、引用している場合には、情報引用フラグに情報元のユーザの会員ＩＤを設定し（Ｓ１４）、情報を引用せずに新規に情報発信ページの表示を依頼している場合には、情報引用フラグをＯＦＦに設定する（Ｓ１５）。ユーザは情報発信ページに表示された入力項目に従ってタイトルや内容を入力し、入力完了の要求をすると（Ｓ１６）、各項目に入力された情報がクライアント１０５から情報発信入力サーバ１０３に送信される。情報発信入力サーバ１０３では、情報登録手段３３が情報発信ページの各項目に入力された情報を情報発信ＤＢ１０４に登録する（Ｓ１７）。この時、情報引用フラグがＯＦＦでない場合、情報格納手段３３は基となる情報のＵＲＬを引用元ＵＲＬとして情報発信ＤＢ１０４に格納することにより、新しく格納される情報と引用元の情報とを関連付ける。
【００３４】
ここで、基となる情報と新しく登録される情報との関連付けは、例えば新しく登録される情報から基となる情報へのリンク情報により行われる。また、情報が引用されることによって、基となる記事に情報が引用された旨の情報が追加されてもよい。この時、基となる情報と新しく登録された情報とが相互にリンクされることが好ましい。これらの処理は、制御手段３１の制御により登録手段３３が行う。
【００３５】
更に、制御手段３１は、情報引用フラグがＯＦＦかどうかを判定し（Ｓ１８）、ＯＦＦでない場合には、会員管理ＤＢ１０１を検索し（Ｓ１９）、特典付与手段３４が情報を発信したユーザと、情報を引用されたユーザの両方にポイントを付与する（Ｓ２０）。更に、制御手段３１はクライアント１０５に追加されたポイントと累計ポイントが表示されたＥｍａｉｌを、情報を発信したユーザと、情報を引用されたユーザの両方に対して送付し（Ｓ２１）処理を終了する。情報引用フラグがＯＦＦの場合には、そのまま処理を終了する。
【００３６】
次に図７を用いて本実施形態に係る情報発信方法を具体的に説明する。図７は本実施形態に係る情報発信時のテーマ選択フォーム及び情報入力フォームを示している。まず、図７を用いて情報発信者であるＡが他のユーザの情報を引用せずに情報発信する場合を説明する。ここで、情報発信者Ａは、図３に示されるように、すでに会員管理ＤＢに会員ＩＤ１２３−ｈｉｒｏを持っていて、パスワードａａ１を用いてブログプログラム３０にログインしているものとする。
【００３７】
まず、情報表示手段３２によって生成され、クライアント１０５に表示されたトップページ２０１には、図５に示した情報発信ＤＢ１０４より検索されたテーマ名であるアニメや映画、スポーツのテーマと情報発信件数が表示されている。また、図３に示した会員管理ＤＢ１０１より検索されたポイント項目より、情報発信者Ａの現在のポイント数１００点が表示されている。これら表示項目の制御は制御手段３１が表示手段３２に行わせる。情報発信者Ａが、例えばアニメをテーマとする「新規作成」ボタンを選択すると、クライアント１０５から情報発信入力サーバ１０３へアニメをテーマとする情報発信ページの表示を依頼する。情報発信入力サーバ１０３では、図７に示す商品、タイトル及び内容を含む情報発信Ａページ２０２が情報表示手段３２によって生成され、クライアント１０５に送信され表示される（Ｓ１２）。この時、制御手段３１が商品ＤＢ１０２をアニメをテーマとして検索し（Ｓ１１）、アニメをテーマとする商品が商品名項目で選択可能に表示される。
【００３８】
他の情報発信者の情報内容を引用せずに、テーマ選択より情報発信ページを表示したので（Ｓ１３）、情報引用フラグ２０３はＯＦＦに設定される（Ｓ１５）。ここで、情報引用フラグ２０３は図７に示されるようにクライアント１０５上には表示されず、隠し項目として情報発信入力サーバ１０３上又はブログプログラム３０上で認識されている。情報発信Ａページ２０２において、商品名項目では、選択したテーマに沿った商品名を選択できる。この場合には、商品ＤＢ１０２には、アニメをテーマとして格納されている商品は商品ＡＡＡと、商品ＤＤＤなので、商品ＡＡＡと、商品ＤＤＤとが選択可能である。
【００３９】
ユーザはクライアント１０５においてタイトル入力項目にタイトルを入力し、内容項目に感想や批評を自由にテキスト入力し、「ＯＫ」ボタンで、情報発信する（Ｓ１６）。すると各項目に入力された情報がクライアント１０５から情報発信入力サーバ１０３へ送信される。情報発信入力サーバ１０３では受信した情報を情報登録手段３３が情報発信ＤＢ１０４に登録する（Ｓ１７）。更に、制御手段３１は情報引用フラグの内容を判定し（Ｓ１８）、ＯＦＦなのでこのまま処理を終了する。
【００４０】
次に、図８を用いて情報発信者Ｂがクライアント１０５を用いて情報発信者Ａが発信した情報を閲覧し、当該情報を引用して情報発信する場合を説明する。ここで、情報発信者Ｂは、図３に示されるように、すでに会員管理ＤＢに会員ＩＤ２３４−ｍｉｋｉを持っていて、パスワードｂｂ２を用いてブログプログラム３０にログインしているものとする。
【００４１】
情報発信者Ｂが情報発信者Ａのブログページを閲覧する場合、まず情報発信者Ａが発信した情報の一覧である個人別ページ２０４が情報表示手段３２によって生成され、クライアント１０５に表示される。ここで、図５に示すように情報発信ＤＢ１０４に登録されている情報発信者Ａが発信した情報は２件なので、個人別ページ２０４には２件の情報が表示される。情報発信ＤＢ１０４の検索は制御手段３１が行い、表示手段３２が個人別ページ２０４を生成する。情報発信者Ｂがクライアント１０５で個人別ページ２０４を確認し、例えばタイトルが「ＡＡＡおもしろい」である情報の表示を要求すると、クライアント１０５から情報発信入力サーバ１０３へ、タイトルが「ＡＡＡおもしおい」である情報の表示要求が送信される。情報発信入力サーバ１０３では、制御手段３１が当該情報に記憶された会員ＩＤ、日付及びタイトルから情報発信ＤＢ１０４を検索し、検索された情報に基いて情報表示手段３２が生成した個別内容ページ２０５をクライアント１０５へ送信する。クライアント１０５は受信した個別内容ページ２０５を表示する。
【００４２】
個別内容ページ２０５には、タイトル、内容のほかに、商品購入ボタン及び当該情報を引用して記事を作成するためのボタンが表示される。また、当該情報が他者の情報を引用したものである場合は、基となった情報の情報発信者名、タイトル等が引用源として表示されており、当該基となった情報とリンクされている。これにより、情報発信者Ｂはタイトルが「ＡＡＡおもしろい」である情報を閲覧した後、更にその基となった情報を容易に閲覧することができる。この様に、関連する情報がリンクされていることにより、同一のテーマ及び商品についての情報を、容易に連続して表示することができ、ユーザへの訴求効果を向上することができる。
【００４３】
情報発信者Ｂが、Ａの記事を引用しての情報作成要求である「引用して記事を作成」ボタンが押下すると（Ｓ２２）、その旨の要求がクライアント１０５から情報発信入力サーバ１０３へ送信される。情報発信入力サーバ１０３では、制御手段３１が情報発信ＤＢ１０４を検索し、情報表示手段３２が情報発信者Ａのファイル名から、図９の情報発信Ｂページ２０７のように、情報発信者Ａが書いた記事のＵＲＬ（ｈｔｔｐ：／／ａａａ／ａ０２．ｈｔｍ）を記述した情報発信Ｂページ２０７を生成し、クライアント１０５へ送信する。クライアント１０５は受信した情報発信Ｂページ２０７を表示する（Ｓ１２）。
【００４４】
情報発信者Ｂは、タイトルを変更することも可能である。情報発信者Ａの情報内容を引用して情報発信したので（Ｓ１３）、情報引用フラグは、情報発信者Ａの会員ＩＤである１２３−ｈｉｒｏに設定される（Ｓ１４）。情報発信Ｂページ２０７では、先ほどと同様に選択したテーマに沿った商品名を選択できる。商品ＤＢ１０２において、アニメをテーマとする商品は商品ＡＡＡと、商品ＤＤＤが記憶されているので、商品ＡＡＡと、商品ＤＤＤを選択できる。ここでは、商品ＡＡＡに対する記事を引用したので、自動的にＡＡＡを選択しても良い。
【００４５】
情報発信者Ｂはクライアント１０５においてタイトル入力項目にタイトルを入力し、さらに、内容項目に感想や批評を自由にテキスト入力する。各項目の入力が完了したら、ＯＫボタンを押下し（Ｓ１６）、情報発信入力サーバ１０３に対して情報入力完了の要求をする。すると、クライアント１０５は各項目に入力された情報を情報発信入力サーバ１０３へ送信する。情報発信入力サーバ１０３では、受信した情報を情報登録手段３３が情報発信ＤＢ１０４に登録する（Ｓ１７）。情報引用フラグがＯＦＦではないので（Ｓ１８）、制御手段３１が情報発信者Ｂと情報発信者Ａとを会員管理ＤＢ１０１から検索し（Ｓ１９）、特典付与手段３４が情報発信者Ａと情報発信者Ｂの両方にポイントを追加する（Ｓ２０）。更に、制御手段３１が付与されたポイントと現在の合計ポイント内容を情報発信者Ａと情報発信者ＢのＥｍａｉｌアドレスへ送付する（Ｓ２１）。これにより、情報発信者Ａと情報発信者Ｂは、ポイントを付与されたことを認識することができる。
【００４６】
この様に、他のユーザの情報を引用して情報発信したユーザと情報を引用されたユーザとの両方にポイントを付与することで、他のユーザとの情報のやり取りや、積極的な情報のリンクを促進することができる。各ユーザは他のユーザの情報を引用するために積極的に他のユーザの情報を閲覧することが期待できる。また、各ユーザは自分が発信した情報が他のユーザから引用されることによってもポイントを得ることができるため、より有効な情報発信を積極的に心がけることが期待でき、当該システム内に蓄積される情報の充実を図ることができる。
【００４７】
図８と図１０を用いて、情報発信者Ｂが情報発信者Ａの個別内容ページ２０５を閲覧して、ＡＡＡの番組契約をする場合について説明する。情報発信者Ｂが情報発信者Ａの個別内容ページ２０５を閲覧して、「商品購入」のボタンを押下した場合、クライアント１０５から商品購入サーバ１０７へ商品購入ページ２０８の表示要求が送信される。商品購入ページ２０８の表示要求を受信した商品購入サーバ１０７では、商品購入・決済プログラムがクライアント１０５へ商品購入ページ２０８を送信する。
【００４８】
商品購入ページ２０８を受信したクライアント１０５は図１０のような商品購入ページ２０８を表示する。商品購入ページ２０８では、会員管理ＤＢ１０１から検索して情報発信者Ｂのポイント２００点と、ポイント利用可能な最大数と、商品ＤＢ１０２から検索した商品名である番組名と、価格である支払い料を表示している。1ポイントを1円として計算した場合、支払い価格として、８００円を表示する。情報発信者Ｂが、「決済」ボタンを押下すると、クライアント１０５から商品購入サーバ１０７へ決済要求が送信される。
【００４９】
クライアント１０５から決済要求を受信した商品購入サーバ１０７では、商品購入・決済プログラムが所定の決済処理を行うと共に、決済処理を行ったユーザＩＤ及び決済に利用されたポイント数をポイント管理サーバ１０６に通知する。当該通知を受けたポイント管理サーバ１０６では、ポイント管理プログラムが通知されたユーザＩＤで会員管理ＤＢ１０１を検索し、２３４−ｍｉｋｉが有しているポイント数と決済に利用されたポイント数とを用いて２３４−ｍｉｋｉに残るポイント数を計算する。本実施例においては２００ポイント中２００ポイントを利用したので２３４−ｍｉｋｉのポイント数を０点になる。このように、ポイントを活用できる場があることで、ポイントを獲得するためにテーマに沿った情報発信を促進できることが期待できる。
【００５０】
本実施形態では、情報発信者Ａを個人として設定したが、企業としての情報発信でも良い。商品購入の形態を番組契約に利用したが、テーマに関連した商品購入や会員サービス、ポイントに応じてのプレゼント応募などに利用してもよい。
【００５１】
以上説明したように、本発明の実施の形態では、あるテーマに特化した情報を発信した者と、その情報を引用して情報発信した者の両方に対して、ポイントを付与することができるため、テーマに沿った情報発信数と、集客を促進するリンクが増加することが期待できる。
【００５２】
尚、本実施形態においては、他者の記事を引用して情報を情報発信した場合は、情報発信したユーザと記事を引用されたユーザの両方がポイントを得るが、これに限定されるものではない。例えば、情報を発信したユーザはポイントを得ず、情報を引用されたユーザのみがポイントを得られるようにしても良い。これにより、ポイントの獲得だけを目的とした内容の薄い記事が乱造されることを防ぎ、当該システム内に蓄積される情報の充実を図ることができる。
【図面の簡単な説明】
【００５３】
【図１】本発明の実施の形態に係る情報発信システムのブロック図である。
【図２】本発明の実施の形態に係るブログプログラムを模式的に示すブロック図である。
【図３】本発明の実施の形態に係る会員管理ＤＢに格納されるデータ例である。
【図４】本発明の実施の形態に係る商品ＤＢに格納されるデータ例である。
【図５】本発明の実施の形態に係る情報発信ＤＢに格納されるデータ例である。
【図６】本発明の実施の形態に係る情報発信方法のフローチャートである。
【図７】本発明の実施の形態に係る情報を引用せずに情報発信する際のページ表示例である。
【図８】本発明の実施の形態に係る情報を閲覧する際のページ表示例である。
【図９】本発明の実施の形態に係る情報を引用して情報発信する際の情報発信ページの表示例である。
【図１０】本発明の実施の形態に係る商品購入する際の商品購入ページの表示例である。
【符号の説明】
【００５４】
３０  ブログプログラム、３１  制御手段、３２  情報表示手段、３３  情報登録手段、
３４  特典付与手段、１００  情報発信システム、１０１  会員管理ＤＢ、
１０２  商品ＤＢ、１０３  情報発信入力サーバ、１０４  情報発信ＤＢ、
１０５  クライアント、１０６  ポイント管理サーバ、１０７  商品購入サーバ、
１０８  ネットワーク網、２０１  トップページ、２０２  情報発信Ｂページ、
２０３  情報引用フラグ、２０４  個人別ページ、２０５  個別内容ページ、
２０７  情報発信Ａページ、２０８  商品購入ページ
【図１】
2006260164.tif 000003
【図２】
2006260164.tif 000004
【図３】
2006260164.tif 000005
【図４】
2006260164.tif 000006
【図５】
2006260164.tif 000007
【図６】
2006260164.tif 000008
【図７】
2006260164.tif 000009
【図８】
2006260164.tif 000010
【図９】
2006260164.tif 000011
【図１０】
2006260164.tif 000012